(57)【要約】      （修正有）【課題】焦点変化型ランプを提供する。【解決手段】収納槽３１が形成されたランプ本体、収納槽内に収納される発光モジュール４２と、外壁に凸設された複数のガイド柱５１と各ガイド柱に取り付けられる弾性部品５２とを含む移動型環状部５０と、移動型環状部に固定されるレンズ６０と、回転型環状部７０とを含む。ランプ本体の内壁には環状の結合槽３２と複数の滑動用槽３３とが形成され、弾性部品はガイド柱の滑動方向とは反対方向の抵抗を提供する。回転型環状部の外壁には環状の結合槽に沿って滑動するホック７１が凸設され、回転型環状部にはガイド柱に滑動可能に当接する傾斜槽７２が形成された。回転型環状部が回転するとき、ランプ本体に相対して収納槽に沿って周方向に回転し、傾斜槽とガイド柱及び弾性部品との間の相互作用により、移動型環状部内に固定されたレンズは軸方向に移動することにより出光角度を制御する。【選択図】図３
2017228515.tif 000002
【特許請求の範囲】
【請求項１】
収納槽が形成されたランプ本体であって、該ランプ本体の内壁には環状の結合槽とランプ本体の軸方向に延伸した複数の滑動用槽とが形成されたランプ本体と、
前記収納槽内に収納される発光モジュールと、
外壁に凸設された複数のガイド柱と各ガイド柱に取り付けられる弾性部品とを含む移動型環状部であって、前記ガイド柱が移動型環状部の軸方向に延伸するとともに前記ランプ本体の滑動用槽内に滑動可能に取り付けられ、前記弾性部品が前記ガイド柱の滑動方向とは反対方向の抵抗を提供する移動型環状部と、
前記移動型環状部に固定されるレンズと、
外壁には前記環状の結合槽に沿って滑動するホックが凸設され、前記ガイド柱に滑動可能に当接する傾斜槽が形成された回転型環状部とを含み、
前記回転型環状部を回転させるとき、前記傾斜槽の回転に従って前記ガイド柱が前記滑動用槽に沿って滑動することにより、前記レンズは発光モジュールに近づく方向または発光モジュールから離れる方向に移動することを特徴とする焦点変化型ランプ。
【請求項２】
前記ランプ本体の内壁には位置決め孔が形成され、該位置決め孔は前記滑動用槽に向かう方向に形成され、前記弾性部品の第一端は前記ガイド柱内に挿入され、前記弾性部品の第二端は前記位置決め孔内に挿入されることを特徴とする請求項１に記載の焦点変化型ランプ。
【請求項３】
前記発光モジュールは、前記収納槽の底部に取り付けられるＰＣＢ基板と、該ＰＣＢ基板に電気接続されるＬＥＤランプと、支持部とを含み、前記ＬＥＤランプは前記支持部上に取り付けられることを特徴とする請求項１に記載の焦点変化型ランプ。
【請求項４】
前記発光モジュールは反射シートを更に含み、該反射シートの中央には貫通孔が形成され、該貫通孔の辺にはＬ形の屈折部が形成され、前記支持部は前記貫通孔内に挿入されるとともに前記Ｌ形の屈折部に係合されることを特徴とする請求項３に記載の焦点変化型ランプ。
【請求項５】
前記発光モジュールは放熱シートを更に含み、該放熱シートは前記ＬＥＤランプに当接することを特徴とする請求項３に記載の焦点変化型ランプ。
【請求項６】
前記移動型環状部の内壁には複数の突出部が形成され、前記レンズの辺縁には複数の位置決め槽が形成され、前記突出部は前記位置決め槽内に係合されることを特徴とする請求項１に記載の焦点変化型ランプ。
【請求項７】
前記回転型環状部内には透明ガラスが設けられることを特徴とする請求項１に記載の焦点変化型ランプ。
【請求項８】
前記傾斜槽は、順に接続されている第一傾斜辺と、平坦辺と、第二傾斜辺とを含むことを特徴とする請求項１に記載の焦点変化型ランプ。
【請求項９】
前記焦点変化型ランプは、ベースと、該ベース上に回転可能に取り付けられる円弧形のフレームとを更に含み、前記ランプ本体は反転可能に前記円弧形のフレーム上に取り付けられることを特徴とする請求項１に記載の焦点変化型ランプ。
【発明の詳細な説明】
【技術分野】
【０００１】
本発明は、照明ランプの技術に関し、特に焦点変化型ランプに関するものである。
【背景技術】
【０００２】
従来の技術において、ランプの出光角度は通常固定されているので、出光角度を変化させようとするとき、新しいランプを用意する必要がある。ランプを取り換えるとき、その出光角度を測定するため、ランプを１つずつ測定する必要があるので、操作が煩雑であり、必要とするランプが増加し、物流と実施のコストが高くなる問題がある。
【発明の概要】
【発明が解決しようとする課題】
【０００３】
上述した問題を解決するため、実際の需要に応じて出光角度を制限なく自由に調整することができる焦点変化型ランプを提供する必要がある。
【課題を解決するための手段】
【０００４】
焦点変化型ランプであって、
収納槽が形成されたランプ本体であって、該ランプ本体の内壁には環状の結合槽とランプ本体の軸方向に延伸した複数の滑動用槽とが形成されたランプ本体と、
前記収納槽内に収納される発光モジュールと、
外壁に凸設された複数のガイド柱と各ガイド柱に取り付けられる弾性部品とを含む移動型環状部であって、前記ガイド柱が移動型環状部の軸方向に延伸するとともに前記ランプ本体の滑動用槽内に滑動可能に取り付けられ、前記弾性部品が前記ガイド柱の滑動方向とは反対方向の抵抗を提供する移動型環状部と、
前記移動型環状部に固定されるレンズと、
外壁には前記環状の結合槽に沿って滑動するホックが凸設され、前記ガイド柱に滑動可能に当接する傾斜槽が形成された回転型環状部とを含み、
前記回転型環状部を回転させるとき、前記傾斜槽の回転に従って前記ガイド柱が前記滑動用槽に沿って滑動することにより、前記レンズは発光モジュールに近づく方向または発光モジュールから離れる方向に移動する。
【０００５】
上述した焦点変化型ランプは、回転型環状部が回転するとき、ランプ本体に相対して収納槽に沿って周方向に回転し、傾斜槽とガイド柱および弾性部品との間の相互作用により、移動型環状部内に固定されたレンズは、発光モジュールに近づく方向または発光モジュールから離れる方向に移動することができる。したがって、実際の需要に応じて出光角度を制限なく自由に制御することができる。
【０００６】
本発明の１つの実施例において、前記ランプ本体の内壁には位置決め孔が形成され、該位置決め孔は前記滑動用槽に向かう方向に形成され、前記弾性部品の第一端は前記ガイド柱内に挿入され、前記弾性部品の第二端は前記位置決め孔内に挿入される。
【０００７】
本発明の１つの実施例において、前記発光モジュールは、前記収納槽の底部に取り付けられるＰＣＢ基板と、該ＰＣＢ基板に電気接続されるＬＥＤランプと、支持部とを含み、前記ＬＥＤランプは前記支持部上に取り付けられる。
【０００８】
本発明の１つの実施例において、前記発光モジュールは反射シートを更に含み、該反射シートの中央に貫通孔が形成され、該貫通孔の辺にＬ形の屈折部が形成され、前記支持部は前記貫通孔内に挿入されるとともに前記Ｌ形の屈折部に係合される。
【０００９】
本発明のいずれか１つの実施例において、前記発光モジュールは放熱シートを更に含み、該放熱シートは前記ＬＥＤランプに当接する。
【００１０】
本発明の１つの実施例において、前記移動型環状部の内壁には複数の突出部が形成され、前記レンズの辺縁には複数の位置決め槽が形成され、前記突出部は前記位置決め槽内に係合される。
【００１１】
本発明の１つの実施例において、前記回転型環状部内には透光ガラスが設けられる。
【００１２】
本発明の１つの実施例において、前記傾斜槽は、順に接続されている第一傾斜辺と、平坦辺と、第二傾斜辺とを含む。
【００１３】
本発明の１つの実施例において、前記焦点変化型ランプは、ベースと、該ベース上に回転可能に取り付けられる円弧形のフレームとを更に含み、前記ランプ本体は反転可能に前記円弧形のフレーム上に取り付けられる。
【図面の簡単な説明】
【００１４】
【図１】本発明の好適な実施例に係る焦点変化型ランプの構造を示す図である。
【図２】図１の焦点変化型ランプの一部分の断面を示す構造図である。
【図３】図２の焦点変化型ランプを示す分解斜視図である。
【図４】図３のＬＥＤランプ、支持部及び反射シートを示す組立図である。
【図５】図３の回転型環状部を示す側面図である。
【発明を実施するための形態】
【００１５】
本発明をよく理解してもらうため、以下、図面を参照しながら本発明の実施例をより詳細に説明する。図面には本発明の好適な実施例が示されているが、本発明は異なる実施形態によって実施することができ、本発明の構成は下記実施例にのみ限定されるものでない。下記実施例を示す目的は、本発明の技術的事項をより詳細に理解してもらうことにある。
【００１６】
図１乃至図５に示すように、本発明の好適な実施例の焦点変化型ランプ１００は、ベース１０と、円弧形のフレーム２０と、ランプ本体３０と、発光モジュールと、移動型環状部５０と、レンズ６０と、回転型環状部７０とを含む。
【００１７】
円弧形のフレーム２０の中央部はベース１０上に回転可能に取り付けられ、ランプ本体３０は円弧形のフレーム２０の両端部にヒンジ結合されている。これにより、円弧形のフレーム２０はベース１０に対してＡ方向に回転でき、ランプ本体３０は円弧形のフレーム２０に対してＢ方向に反転することができるので、焦点変化型ランプ１００を自由に調節することができる。
【００１８】
ランプ本体３０には円柱形の収納槽３１が形成されており、発光モジュールは収納槽３１内に収納される。具体的な実施例において、発光モジュールは、収納槽３１の底部に取り付けられるＰＣＢ基板４１と、ＰＣＢ基板４１に電気的に接続されているＬＥＤランプ４２と、ＬＥＤランプ４２に当接する放熱シート４３と、支持部４４と、反射シート４５とを含む。ＬＥＤランプ４２が支持部４４上に取り付けられることにより、ＬＥＤランプ４２の固定および取り付けを実現する。反射シート４５の中央には矩形の貫通孔４５１が形成されており、該貫通孔４５１の対向する２辺にはＬ形の屈折部４５２がそれぞれ形成されている。支持部４４が貫通孔４５１内に挿入されるとともに２個の屈折部４５２の間に係合されることにより、支持部４４を安定して固定することができる。貫通孔４５１の他の２辺には羽部４５３がそれぞれ形成されている。屈折部４５２および羽部４５３はいずれも、反射シート４５と一体に成型されることが好ましい。
【００１９】
ランプ本体３０の内壁には、収納槽３１と同軸に形成された環状の係合槽３２と、均等に分布した複数の滑動用槽３３とが形成されており、滑動用槽３３はランプ本体３０の内壁に沿って軸方向に延伸している。本実施例において、滑動用槽３３と環状の係合槽３２とは垂直に連通しており、各滑動用槽３３はランプ本体３０の内壁に間隔を空けて形成された２個の凸部の間に形成されている。移動型環状部５０は、その外壁に凸設された複数のガイド柱５１と、ガイド柱１つずつに取り付けられる複数の弾性部品５２とを含む。前記ガイド柱５１は前記滑動用槽３３内に一対一に取り付けられ、ガイド柱５１は滑動用槽３３内でランプ本体３０の軸方向に滑動することができる。弾性部品５２はガイド柱５１の滑動方向と反対である反対方向の抵抗を提供する。本実施例において、滑動用槽３３とガイド柱５１の数はいずれも３個であるが、実際の需要に応じて滑動用槽３３の数と分布を自由に設けることができ、上述した３個や均等に分布することに限らない。
【００２０】
具体的な実施例において、弾性部品５２はスプリングである。ランプ本体３０の内壁には位置決め孔３４が形成されており、該位置決め孔３４は滑動用槽３３に向かう方向に形成されている。スプリングの第一端はガイド柱５１内に挿入され、スプリングの第二端は位置決め孔３４内に挿入されることにより、スプリングが圧縮されるときまたは伸ばされるときの安定性を向上させることができる。他の実施例において、弾性部品５２は弾性シートであってもよい。
【００２１】
レンズ６０を移動型環状部５０内に固定するために、移動型環状部５０が収納槽３１の中心軸方向に沿って往復移動するとき、レンズ６０は移動型環状部５０と同時に移動することができる。レンズ６０を移動型環状部５０内に固定させるため、本実施例において、移動型環状部５０の内壁に複数の突出部５３を形成し、レンズ６０の辺縁に複数の位置決め槽６１を形成し、突出部５３を位置決め槽６１内に係合させることにより、レンズ６０を固定し、レンズ６０の不意な回転や移動型環状部５０から落ちるのを防止できる。
【００２２】
回転型環状部７０の外壁には環状の係合槽３２に沿って滑動するホック７１が凸設されているので、回転型環状部７０を回転させるとき、回転型環状部７０はランプ本体３０に対して収納槽３１の周方向に回転することができるが、ランプ本体３０に対して収納槽３１の軸方向に移動することができない。回転型環状部７０を容易に回転させるため、回転型環状部７０上に外部に突出する操作部７３を形成した。異物がランプ本体３０内に入るのを防止するため、回転型環状部７０に透光ガラス７４を設けている。
【００２３】
回転型環状部７０をＣ方向の正方向または反対方向に回転させるとき、移動型環状部５０が回転型環状部７０に連動して収納槽３１の中心軸方向に往復するようにするため、回転型環状部７０に複数の傾斜槽７２を形成した。ガイド柱５１は傾斜槽７２に滑動可能に当接する。本実施例において、各傾斜槽７２は、順に接続されている第一傾斜辺７２１と、平坦辺７２２と、第二傾斜辺７２３とを含む。対応するガイド柱５１が平坦辺７２２に当接するとき、回転型環状部７０が自分で回転するのを有効に防止することができる。ガイド柱５１が平坦辺７２２から第一傾斜辺７２１に滑動するとき、レンズ６０は発光モジュールに近づく方向に移動し、ガイド柱５１が平坦辺７２２から第二傾斜辺７２３に滑動するとき、レンズ６０は発光モジュールから離れる方向に移動する。したがって、実際の需要に応じて出光角度を自由に制御することができる。
【００２４】
焦点変化型ランプ１００において、回転型環状部７０を回転させるとき、ランプ本体３０に相対して収納槽３１に沿って周方向に回転し、傾斜槽７２とガイド柱５１および弾性部品５２の間の相互作用により、移動型環状部５０内に固定されたレンズ６０は発光モジュールに近づく方向または発光モジュールから離れる方向に移動する。したがって、実際の需要に応じて出光角度を自由に制御することができる。
【００２５】
以上、上述した複数の実施例により本発明の好適な実施例を詳述してきたが、本発明の構成は前記実施例にのみ限定されるものでない。注意されたいことは、本技術分野の当業者は本発明の要旨を逸脱しない範囲内で設計の変更等を行うことができ、このような設計の変更等があっても本発明に含まれることは勿論である。本発明の保護範囲は特許請求の範囲が定めたものを基準にする。
【図１】
2017228515.tif 000003
【図２】
2017228515.tif 000004
【図３】
2017228515.tif 000005
【図４】
2017228515.tif 000006
【図５】
2017228515.tif 000007